(57)【特許請求の範囲】
【請求項１】
昇降テーブル（３）上に積層された枚葉紙の端面を板取り作業時に支持する板取り作業時用の紙押さえ部材（１２）を備え、該紙押さえ部材（１２）は枚葉紙の端面を支持する支持位置と、枚葉紙の端面から離反した退避位置との間を移動可能に構成されている枚葉印刷機の排紙装置において、紙押さえ部材（１２）が退避位置に位置するか否かを検出する検出手段（６０）を備え、紙押さえ部材（１２）が退避位置に位置していないことを検出手段（６０）が検出すると昇降テーブル（３）の上昇が不可となるよう構成されており、退避位置における紙押さえ部材（１２）が昇降テーブル（３）の上昇により突き上げられたときに、紙押さえ部材（１２）が退避位置には位置しないと検出手段（６０）が判断するように、紙押さえ部材（１２）が突き上げに応じて動作することを特徴とする枚葉印刷機の排紙装置。
【発明の詳細な説明】
【０００１】
【発明の属する技術分野】
本発明は、枚葉印刷機の排紙装置の改良に関する。
【０００２】
【従来の技術】
枚葉印刷機は印刷済みの枚葉紙を積層する排紙装置を備えており、印刷済みの枚葉紙は、搬送チェーンに設けられたチェーングリッパによって昇降テーブル上に積載される。昇降テーブルには様々な方法で枚葉紙が積層されるが、昇降テーブル上にパレットと板取り板を順に載せ、その板取り板に枚葉紙を積層することが多い。この場合、積層される枚葉紙の枚数が多くなると裏移りが発生するおそれがあるため、裏移りを防止するために板取り板を適当な間隔で順次挿入する板取り作業が行われる。この板取り作業においては、所定高さまで枚葉紙を積載した昇降テーブルを所定量下降させ、チェーングリッパからの排紙のタイミングを見計らって板取り板ガイドに板取り板を挿入する。ところが、板取り板の挿入による風圧で、積層されている枚葉紙の上層部が位置ずれすること（紙流れ）がある。
【０００３】
このような紙流れを防止するために紙流れ防止装置を備えた印刷機もある。該紙流れ防止装置は、板取り作業時のみ使用する板取り作業時用の紙押さえ部材を備える。該紙押さえ部材は、通常の排紙状態では枚葉紙の端面から離反した退避位置に退避し、板取り作業に際して、退避位置から枚葉紙の端面に向けて接近した支持位置において枚葉紙の端面を支持し規制する。
【０００４】
即ち、板取り作業を行う場合、まず紙押さえ部材を支持位置に移動させ、昇降テーブルを所定量下降させて板取り板を板取り板ガイドに挿入する。その際、紙押さえ部材が支持位置に位置して、昇降テーブル上に積層された枚葉紙の端面を支持するため紙流れが防止される。
【０００５】
続いて、所定量の枚葉紙を積載した板取り板に四本の支柱を立て、この段階で紙押さえ部材を元の退避位置に戻す。紙押さえ部材は、昇降テーブル上に積層された枚葉紙の端面を支持するものであるため、支持位置は昇降テーブルの上方にある。従って、昇降テーブル上に載置されたパレットや板取り板等の載置物が紙押さえ部材を下方から突き上げることがないように、紙押さえ部材を退避位置に戻した後に昇降テーブルを所定量上昇させる。
【０００６】
昇降テーブルを所定量上昇させることにより、板取り板ガイドに配置されている上方側の板取り板を支柱で押し上げて板取り板ガイドから僅かに浮上させ、その状態で板取り板ガイドを左右に離反させる。これによって一連の作業が終了し、配備した新しい板取り板に印刷紙を順次積層していく。
【０００７】
【発明が解決しようとする課題】
以上のように、板取り板は通常は板取り板ガイドに挿入されて配置される。しかるに、オペレータが板取り板ガイドを使用せずに例えばパレットの上に直接板取り板を載せる場合がある。この場合、パレット上の自由な位置に板取り板を載せることができるため、通常配置されるべき位置から外れた位置にオペレータが板取り板を誤って載せる場合がある。かかる状態で昇降テーブルを上昇させると、退避位置に退避している紙押さえ部材を板取り板が過度に突き上げて紙押さえ部材を変形、破損させるおそれがある。パレットを誤って通常位置よりも外れた位置に載せた場合や、キャスター付きの排紙台を過度に位置ずれさせて載せた場合にも、同様にパレットや排紙台が紙押さえ部材を過度に突き上げて破損させるおそれがある。
【０００８】
このように、通常使用されている場合には問題がないものの、通常の使用とは異なる使用方法がなされた結果、万一、通常の載置位置から紙押さえ部材の退避位置側に外れて板取り板やパレット、種々の排紙台等の載置物が昇降テーブル上の載置された場合、その状態で昇降テーブルを上昇させると、紙押さえ部材が退避位置に位置していても昇降テーブルに載置された板取り板等の載置物によって紙押さえ部材が破損するおそれがある。
【０００９】
そこで、本発明は、上記従来の問題に鑑みてなされ、通常とは異なる使用状態がなされた場合において紙押さえ部材の変形や破損を防止することができる枚葉印刷機の排紙装置を提供することを課題とする。
【００１０】
【課題を解決するための手段】
本発明は、上記課題を解決すべくなされたものであり、本発明に係る枚葉印刷機の排紙装置は、昇降テーブル上に積層された枚葉紙の端面を板取り作業時に支持する板取り作業時用の紙押さえ部材を備え、該紙押さえ部材は枚葉紙の端面を支持する支持位置と、枚葉紙の端面から離反した退避位置との間を移動可能に構成されている枚葉印刷機の排紙装置において、紙押さえ部材が退避位置に位置するか否かを検出する検出手段を備え、紙押さえ部材が退避位置に位置していないことを検出手段が検出すると昇降テーブルの上昇が不可となるよう構成されており、退避位置における紙押さえ部材が昇降テーブルの上昇により突き上げられたときに、紙押さえ部材が退避位置には位置しないと検出手段が判断するように、紙押さえ部材が突き上げに応じて動作することを特徴とする。
【００１３】
かかる構成においては、紙押さえ部材が退避位置に位置していないことを検出手段が検出すると昇降テーブルの上昇が不可となるため、板取り作業時における紙押さえ部材と昇降テーブル上の載置物との干渉が未然に防止される。
また、通常とは異なる使用がなされて、退避位置における紙押さえ部材が昇降テーブルの上昇により突き上げられると、紙押さえ部材が突き上げに応じて動作し、これにより紙押さえ部材が退避位置には位置しないと検出手段が判断する。そして、この判断の結果、昇降テーブルの上昇が不可となるため、紙押さえ部材のそれ以上の突き上げが防止され、紙押さえ部材が保護される。
【００１４】
【発明の実施の形態】
以下、本発明に係る印刷機の排紙装置の一実施形態について図１乃至図６を参酌しつつ、板取り作業時の紙流れを防止する紙流れ防止装置を備えた排紙装置について説明する。
図１において、排紙装置は、チェーングリッパ１を所定間隔毎に備えた無端状の搬送チェーン２を備え、該搬送チェーン２は、印刷された枚葉紙Ｐを昇降テーブル３の上方位置まで搬送し、その位置でグリッパ１が枚葉紙Ｐを放して昇降テーブル３上に順次積載する。更に、排紙装置は、枚葉紙Ｐの搬送方向（搬送チェーン２による搬送方向）前端面Ｐ１を位置決めする前当て（図示しない）と、搬送方向後端面Ｐ２を位置決めする後ろ当て４と、搬送チェーン２により搬送されてきた枚葉紙Ｐの後端側を吸引して減速させるブレーキ手段としての吸引車５とを備えている。尚、吸引車５と後ろ当て４の位置は、枚葉紙Ｐの搬送方向の紙サイズに応じて前後に移動調節可能となっている。尚、前とは搬送方向の前方側を、後ろとは搬送方向の後方側をそれぞれ意味するものとし、以下の説明においても同様とする。
【００１５】
また、昇降テーブル３は、昇降チェーン６によって吊下されてモータ等の駆動装置による昇降チェーン６の巻き上げ、巻き戻しによって昇降し、枚葉紙Ｐが積載される毎に徐々に自動降下して枚葉紙Ｐを載置する高さが常に一定となるよう構成されている。尚、駆動装置の自動降下等の制御は、制御部が行い、該制御部は、各種センサ等の検出手段や入力パネルの釦等の入力手段から信号を受け、その信号に基づいて駆動装置を作動、停止、及び作動方向や速度等を制御する。
また、昇降テーブル３には、パレット７が載置され、更にその上に最初の板取り板８が載置され、その板取り板８上に枚葉紙Ｐが積載され、所定枚数積載されると、支柱を介して次の板取り板８が載せられる。
【００１６】
図２は排紙装置を搬送方向の前方側から見た図であるが、後ろ当て４より下方の位置には、板取り板８を搬送方向の前方側から後方側に向けて挿入する際の案内となる断面視略コの字状の板取り板ガイド９が左右一対設けられている。該板取り板ガイド９は、図示しないリンク機構によりその高さを維持しつつ左右方向に開閉可能に設けられていて、通常は、左右に離反した開状態にあり、板取り作業の際に互いに接近した閉状態とされる。
【００１７】
そして、図１に示すように、印刷機の左右のフレーム１０に前後一対設けられたブラケット１１を介して紙流れ防止装置が取り付けられている。本実施形態において、紙流れ防止装置は、昇降テーブル３上に積層された枚葉紙Ｐの後端面Ｐ２を支持するものであり、そのため、積層された枚葉紙Ｐの後方側の位置に、通常の排紙中は後方に退避して板取り作業時にのみ後端面Ｐ２を支持する紙押さえ部材１２が、後端面Ｐ２に対して接離可能に配置されている。以下、詳細に説明する。
【００１８】
図１及び図２に示すように、搬送方向前方側から見て右側のフレーム１０には、前後に所定間隔離間して一対のブラケット１１が吊下状態にて取り付けられ、その下方位置には、それぞれ支持板１３，１４が取り付けられている。この両支持板１３，１４に、支持棒１５の前後両端部が取り付けられて、支持棒１５は両支持板１３，１４間に略水平に架橋されている。
【００１９】
また、図２に示すように、板取り板ガイド９より下方の位置には、枚葉紙Ｐの幅方向に沿って略水平に紙押さえ軸１６が配されており、該紙押さえ軸１６に紙押さえ部材１２が複数設けられている。
【００２０】
本実施形態において、紙押さえ軸は、互いに平行な二つの軸から構成されている。図４のように、一方は主軸１６ａで丸棒状に形成され、それ自体回転不能に構成されていて、その一端部には割り部材５０を介して支持ベース１７が、他端部には割り部材５１を介してコロ１９がそれぞれ取り付けられている。また、割り部材５０，５１の内側の位置には、それぞれ揺動体５２，５３が主軸１６ａに回動可能に支持されている。
【００２１】
また、紙押さえ軸１６を構成する他方の軸は、主軸１６ａの前方側に所定間隔離間して並設された副軸１６ｂであり、主軸１６ａと同様に丸棒状に形成されていて、その両端部には前記揺動体５２，５３が各々固定されて副軸１６ｂは左右一対の揺動体５２，５３を連結一体化している。即ち、副軸１６ｂは主軸１６ａを回転中心として主軸１６ａのまわりを上下方向に回動する。そして、副軸１６ｂの略中央位置と、該略中央位置から左右に各々所定距離離間した位置の合計三カ所に、紙押さえ部材１２が設けられている。本実施形態において、紙押さえ部材１２は、上方片１２ａと下方片１２ｂとから構成されている。上方片１２ａと下方片１２ｂは各箇所にそれぞれ設けられ、上方片１２ａは副軸１６ｂに回動不能に固定され、下方片１２ｂは副軸１６ｂに回動可能に支持されている。尚、上方片１２ａはその下端部が副軸１６ｂに固定されて副軸１６ｂから上方に略垂直に伸びており、下方片１２ｂはその上端部が副軸１６ｂに支持されて副軸１６ｂから下方に略垂直に伸びている。
【００２２】
また、前記左右一対の揺動体５２，５３の下面には、揺動体５２，５３よりも左右方向に幅広な回転止め５４，５４が取り付けられている。揺動体５２，５３から側方に突出した回転止め５４，５４の後端部上面が、隣接する割り部材５０，５１の下面に当接することにより、揺動体５２，５３の前端部側が下方に傾斜するように揺動体５２，５３が回動することが防止される。尚、回転止め５４，５４は断面視略Ｌ字状に形成されている。
【００２３】
揺動体５２，５３は、副軸１６ｂ及び紙押さえ部材１２の重量によって前端部側が下方になるように回動しようとするが、それを左右の回転止め５４，５４が阻止して揺動体５２，５３を通常の略水平状態に維持する一方、仮に、紙押さえ部材１２に下方から外力が上方に向けて作用した場合にはその外力に従って前端部側が上方を向くように主軸１６ａを支点として回動することができる。このように、揺動体５２，５３は一方向のみに回動可能である。
【００２４】
一方、前記支持ベース１７を支持棒１５が前後に貫通して、支持ベース１７は支持棒１５をガイドとして前後に摺動可能となっている。また、搬送方向前方側から見て左側のフレーム１０には、ブラケット１１を介して断面視略Ｌ字状の支持プレート１８が取り付けられ、該支持プレート１８上を前記コロ１９が転動する。
【００２５】
更に、図１及び図２に示すように、支持ベース１７はその下端部にフック２０，２１を前後一対備えている。前側のフック２０は支持位置保持用で後ろ側のフック２１は退避位置保持用であり、共に同一構成にて前後対称に配置されている。図１に示すように紙押さえ部材１２が枚葉紙Ｐよりも後方の退避位置に位置する場合には後ろ側のフック２１が後ろ側の支持板１４に係合し、これにより、紙押さえ部材１２が退避位置に保持される。また、後ろ当て４の略下方にはストッパー板４０が設けられ、該ストッパー板４０は、図示しない連結部材によって後ろ当て４と連結されていて紙サイズに合わせて後ろ当て４と一体的に前後に移動させることができる。そして、図３に示すように紙押さえ部材１２が枚葉紙Ｐの後端面Ｐ２に当接して紙流れを防止する支持位置においては、図１に二点鎖線にて示すように前側のフック２０がストッパー板４０と係合し、これにより紙押さえ部材１２は支持位置に保持される。
【００２６】
一方、前記支持棒１５の下方側には、操作軸３０が支持棒１５と略平行に配置されている。該操作軸３０は、支持ベース１７に軸線方向（前後方向）に相対移動不能に取り付けられ且つ支持ベース１７に回転可能に支持されている。
かかる操作軸３０は、ストッパー板４０と前側の支持板１３とを前後に貫通して、支持板１３及びストッパー板４０に摺動可能に且つ回転可能に支持されている。そして、その前端部は昇降テーブル３の前方位置まで到達していて、前端部には棒状のハンドル部材３１が取り付けられている。オペレータは、ハンドル部材３１を把持することにより、板取り板８を挿入する場所から操作軸３０を操作可能であり、ハンドル部材３１を前後に引っ張り、押し込み操作することで操作軸３０を介して支持ベース１７を前後に平行移動させることができ、これによって紙押さえ部材１２を退避位置と支持位置との間を前後に平行移動させることができる。
【００２７】
更に、排紙装置は、紙押さえ部材１２が退避位置に位置するか否かを検出する検出手段としてのリミットスイッチ６０を備えている。該リミットスイッチ６０は、ブラケット１１に取付板６３を介して取り付けられたスイッチ本体６１と、基端部がスイッチ本体６１に回動可能に支持されて先端部にコロ６４を有する振り子体６２とを備えている。該リミットスイッチ６０は、図５（イ）のように振り子体６２がスイッチ本体６１に対して所定角度を超えて傾くと信号を出力し、図５（ロ）のように振り子体６２がスイッチ本体６１に対してほとんど傾斜せずに振り子体６２とスイッチ本体６１とが略一直線状では信号を出力しない。尚、信号の出力の有無が逆に構成されていてもよい。
本実施形態において、リミットスイッチ６０は、前方側から見て右側の揺動体５２の上方に、振り子体６２のコロ６４が揺動体５２の上面に当接可能なように配置されている。尚、振り子体６２はスイッチ本体６１の下側に位置すると共にスイッチ本体６１の軸線は略垂直方向となる。
【００２８】
そして、振り子体６２は揺動体５２の上面をカム面として前後に揺動する。具体的には、図５（イ）のように紙押さえ部材１２が退避位置にある場合、揺動体５２の上面後端部に形成された傾斜面５２ａが振り子体６２を後方に押圧して、振り子体６２を所定角度を超えて後方側に傾斜させる。該状態において、リミットスイッチ６０は、制御部に対して信号を発し続けており、制御部はその信号を受け続けている間は、昇降チェーン６を巻き上げ、巻き戻しできるように、駆動装置を両方向に作動可能な状態とする。即ち、昇降テーブル３は上昇及び下降可能な状態にある。
【００２９】
一方、図５（ロ）のように、紙押さえ部材１２が退避位置から支持位置に向けて前進した場合、あるいは支持位置に位置する場合等、紙押さえ部材１２が退避位置に位置しない場合には、揺動体５２が振り子体６２のコロ６４から前方に離反するため振り子体６２はスイッチ本体６１と略一直線状となり、信号の出力を停止する。制御部はリミットスイッチ６０からの信号が停止すると、昇降チェーン６を巻き上げる方向の駆動装置の動作を不可とする。即ち、昇降テーブル３は下降は可能であるが、上昇は不可となる。
そして、再び紙押さえ部材１２が退避位置に戻ってくると、揺動体５２の上面後端部の傾斜面５２ａによって振り子体６２が後方に押されて所定角度を超えて傾斜し、スイッチ本体６１は制御部に向けて信号を出力する。制御部はこの信号を受けると、駆動装置の両方向の動作を可能とし、昇降テーブル３の上昇が可能となる。
【００３０】
このように、リミットスイッチ６０によって紙押さえ部材１２が退避位置にあるか否かを検出し、退避位置に位置する場合には昇降テーブル３の上昇を可能にする一方、紙押さえ部材１２が退避位置に位置しない場合には昇降テーブル３の上昇を不可とする。従って、通常の排紙状態においては、図１のように紙押さえ部材１２は退避位置にあるため昇降テーブル３の上昇が可能であり、板取り作業中は、図３のように紙押さえ部材１２が支持位置にあるため昇降テーブル３を上昇させることはできない。
【００３１】
例えば、板取り作業中にオペレータが不用意に操作パネルの釦等を操作して昇降テーブル３を上昇させようとしても、紙押さえ部材１２を退避位置に戻すまでは昇降テーブル３の上昇が不可となっているため、パレット７や板取り板８等の載置物によって紙押さえ部材１２が突き上げられて変形したり破損したりするというおそれがない。このように紙押さえ部材１２を退避位置に戻すまでは昇降テーブル３を上昇させることができないため、オペレータは安心して板取り作業を行うことができる。
【００３２】
また、リミットスイッチ６０は、退避位置における紙押さえ部材１２が昇降テーブル３の上昇により突き上げられたことを検出する検出手段としても機能する。
通常の使用状態においては、昇降テーブル３の所定位置にパレット７が載置され、且つ、板取り板８もパレット７の所定位置に載置される。一般に板取り板ガイド９には、板取り板８の挿入方向の位置を決めるためのストッパー面が設けられ、板取り板ガイド９を使用する通常の使用状態においては、ストッパー面に当接するまで板取り板８を板取り板ガイド９に挿入すれば、板取り板８をパレット７の所定位置に正確に載置することができる。従って、通常の使用状態では、図１に実線にて示すようにパレット７上に載置された板取り板８と退避位置にある紙押さえ部材１２とは互いに干渉しない状態にあり、昇降テーブル３を上昇させても退避位置に位置する紙押さえ部材１２をパレット７や板取り板８等の載置物が突き上げるということはない。
【００３３】
しかしながら、板取り板ガイド９を使用せずにパレット７に直接板取り板８を置く等のように、通常とは異なる使用状態がなされる場合がある。その場合において、あるいは、図１に二点鎖線にて示すように、板取り板８の後端部が退避位置における紙押さえ部材１２の下方まで達するように、板取り板８が後方にずれてパレット７上に載置されることがある。また、パレット７が昇降テーブル３の後方に外れた位置に載置されることもある。
【００３４】
このような場合であっても、紙押さえ部材１２は退避位置に位置しているため、リミットスイッチ６０はその状態を検出していて昇降テーブル３は上昇可能である。そこで、昇降テーブル３を上昇させると、パレット７上の板取り板８が紙押さえ部材１２を突き上げることとなり、紙押さえ部材１２のうちの下方片１２ｂに板取り板８が衝突することになる。上述したように、紙押さえ部材１２及び副軸１６ｂは、主軸１６ａよりも前方に位置すると共に、左右一対の揺動体５２，５３によって主軸１６ａに回動可能に支持されているため、略垂直に伸びた下方片１２ｂの下端部に板取り板８が下方から衝突すると、図６に示すように、紙押さえ部材１２、副軸１６ｂ及び揺動体５２，５３が一体となって主軸１６ａを支点として上方に回動する。揺動体５２が上方に回動すると、振り子体６２のコロ６４は揺動体５２の傾斜面５２ａから離れてその前側に隣接する平坦面５２ｂに当接する。退避位置において、振り子体６２の回動支点６２ａと主軸１６ａとの離間距離が一定で、且つ、主軸１６ａから平坦面５２ｂまでの距離が主軸１６ａから傾斜面５２ａまでの距離よりも小さいため、コロ６４が傾斜面５２ａから平坦面５２ｂに相対的に移動することにより、振り子体６２は略垂直に近い状態まで戻って制御部への信号の出力を停止する。従って、駆動装置は昇降テーブル３を上昇させる側の動作が不可の状態となり、昇降テーブル３は直ちに停止する。即ち、リミットスイッチ６０の振り子体６２は紙押さえ部材１２が退避位置に位置しない場合と略同じ状態となり、リミットスイッチ６０はこの振り子体６２の動きによって、紙押さえ部材１２が退避位置に位置しないと判断するのである。尚、傾斜面５２ａと平坦面５２ｂとからカム面が構成され、揺動体５２は板カムとして、また、振り子体６２はカムフォロアとしてそれぞれ機能する。
【００３５】
このように、仮に通常とは異なる使用状態がなされ、退避位置に位置する紙押さえ部材１２を板取り板８等の載置物が突き上げても、その突き上げに応じて紙押さえ部材１２が主軸１６ａを支点として上方に回動して突き上げの衝撃を緩和すると共に、紙押さえ部材１２と共に揺動体５２が回動して、紙押さえ部材１２が退避位置には位置しないとリミットスイッチ６０が判断して昇降テーブル３を停止させる。従って、紙押さえ部材１２が載置物に突き上げられても変形したり破損したりすることがなく保護される。尚、停止した昇降テーブル３を一旦所定量下降させて突き上げ状態を解除すると、図５（イ）のように紙押さえ部材１２と共に揺動体５２も元の状態まで戻り、リミットスイッチ６０の振り子体６２も再び傾斜面５２ａに当接し、スイッチ本体６１は制御部に信号を出力する。従って、オペレータは板取り板８等を正規の位置にセットし直して再び昇降テーブル３を上昇させることができる。
【００３６】
このように、紙押さえ部材１２を退避位置に位置させたにもかかわらず昇降テーブル３の上昇が停止することにより、オペレータは、昇降テーブル３上に載置された板取り板８等の載置物が通常位置とは異なる位置に載置されていることを認識することができるのである。
【００３７】
また、紙押さえ部材１２が退避位置に位置するか否かの検出と、退避位置にある紙押さえ部材１２が突き上げられたことの検出とを、一つのリミットスイッチ６０で行う構成としているため、別個独立に二つのリミットスイッチを設ける一般的な構成に比して構造を簡素化できるうえに、制御部による駆動装置の制御も容易となる。但し、別個独立に二つのリミットスイッチを設けてもよい。
【００３８】
尚、検出手段としては、上述のリミットスイッチ６０のような機械的に接触する接触式スイッチ以外にも、近接スイッチやフォトカプラ等の非接触スイッチを使用することができ、また、光学式センサ等も使用できる。
【００３９】
更に、上記実施形態では、紙押さえ部材１２が退避位置に位置するか否かを検出する検出手段を設けているがこれを省略し、退避位置に位置する紙押さえ部材１２の突き上げを検出する検出手段のみを設けた構成としてもよい。
【００４０】
尚、上記実施形態では、紙押さえ部材１２が枚葉紙Ｐの後端面Ｐ２に対して前後に接離する構成であったが、紙押さえ部材１２が後端面Ｐ２から側方や上方や下方に離反して退避位置となる構成としてもよく、また、支持位置と退避位置との間を直線移動する構成以外に回動運動等により移動する構成であってもよい。
【００４１】
更に、紙押さえ部材１２は枚葉紙Ｐの後端面Ｐ２を支持する以外に、左右の側面を支持する構成や、前端面Ｐ１を支持する構成としてもよい。但し、板取り板８を前方側から挿入する構成では、積層された枚葉紙Ｐが風圧によって後方側に位置ずれしやすいため、後端面Ｐ２を支持する構成とすることが好ましい。即ち、板取り板８の挿入方向への紙流れを防止するために、板取り板８の挿入終了側の枚葉紙Ｐの端面を支持するように紙押さえ部材１２を配置することが好ましい。
【００４２】
【発明の効果】
以上のように、本発明に係る排紙装置にあっては、紙押さえ部材が退避位置に位置するか否かを検出する検出手段を備え、紙押さえ部材が退避位置に位置していないことを検出手段が検出すると昇降テーブルの上昇が不可となるため、例えば、紙押さえ部材を支持位置に位置させたまま昇降テーブルを上昇させて紙押さえ部材を変形、破損させるということが未然に防止される。更に、通常とは異なる使用状態がなされた場合に退避位置における紙押さえ部材が昇降テーブル上の載置物によって突き上げられると、紙押さえ部材が退避位置には位置しないと検出手段が判断するように紙押さえ部材が突き上げに応じて動作し、それ以上の昇降テーブルの上昇が不可となって昇降テーブルはその高さに停止し、紙押さえ部材を突き上げから保護することができる。しかも、紙押さえ部材が退避位置には位置しないと検出手段が判断して昇降テーブルが停止することにより、通常とは異なる使用がなされていて昇降テーブル上に載置物が通常位置とは異なる位置に載置されていることを確認できる。また、一つの検出手段で、紙押さえ部材が退避位置に位置するか否かの検出と、退避位置に位置する紙押さえ部材の突き上げの検出とを行うことができる。
【図面の簡単な説明】
【図１】本発明の一実施形態における排紙装置を示す概略右側面図。
【図２】同装置の概略正面図。
【図３】同装置の使用状態を示した概略右側面図であって、紙押さえ部材が支持位置にある場合を示す。
【図４】同装置の要部拡大図。
【図５】同装置の使用状態を示す要部拡大図であって、（イ）は紙押さえ部材が退避位置に位置する状態を、（ロ）は紙押さえ部材が退避位置から前進した状態をそれぞれ示す。
【図６】同装置の使用状態を示した要部拡大図であって、紙押さえ部材が板取り板に突き上げられた状態を示す。
【符号の説明】
３…昇降テーブル、４…後ろ当て、５…吸引車、７…パレット、８…板取り板、９…板取り板ガイド、１２…紙押さえ部材、１２ａ…上方片、１２ｂ…下方片、１３，１４…支持板、１６…紙押さえ軸、１６ａ…主軸、１６ｂ…副軸、１７…支持ベース、２０，２１…フック、３０…操作軸、３１…ハンドル部材、４０…ストッパー板、５０，５１…割り部材、５２，５３…揺動体、５２ａ…傾斜面、５２ｂ…平坦面、５４…回り止め、６０…リミットスイッチ（検出手段）、６１…スイッチ本体、６２…振り子体、６４…コロ、Ｐ…枚葉紙、Ｐ２…後端面
【図１】
0004132748.tif 000002
【図２】
0004132748.tif 000003
【図３】
0004132748.tif 000004
【図４】
0004132748.tif 000005
【図５】
0004132748.tif 000006
【図６】
0004132748.tif 000007